(57)【要約】【課題】店舗に設置された端末で、サービスを提供すべき者であるかどうかの確認を行うことが可能な携帯端末による認証方法およびシステムを提供する。【解決手段】携帯端末６を、店頭に設置された設置端末の携帯端末接続端子に接続すると、設置端末に認証システムの演算制御部１が、携帯端末６に記録された暗号化ＩＤを読み込む。続いて、記憶部５に記憶されている復号キーで読み込んだ暗号化ＩＤを復号して注文ＩＤを得る。得られた注文ＩＤがあらかじめ設定された配列規則に従っていれば、演算制御部１は、注文ＩＤを、携帯端末インターフェイス４を介して携帯端末６に送信する。受信した注文ＩＤをディスプレイ６ａ上に表示させて店員に見せることにより、利用者を認証し、注文した商品を受け取ることができる。【選択図】    図２
2005004376.tif 000002
【特許請求の範囲】
【請求項１】
携帯端末の利用者が、サービスの提供を受ける際に、店舗もしくは街頭等に設置された設置端末により、前記サービスの提供を受けるべき者であるかどうかを認証する方法であって、
コンピュータネットワークを利用して所定のサイトから得られる暗号化ＩＤを記録した前記携帯端末から、前記設置端末が前記暗号化ＩＤを読み取る段階と、
前記設置端末にあらかじめ記憶された復号キーで前記暗号化ＩＤを復号して注文ＩＤを得る段階と、
前記注文ＩＤが所定の規則に従っているかどうかを照合する段階と、
前記注文ＩＤが所定の規則に従っていると判断された場合に、前記注文ＩＤを前記携帯端末に送信する段階と、
前記携帯端末が受信した注文ＩＤを画面上に表示する段階と、
を有することを特徴とする携帯端末による認証方法。
【請求項２】
携帯端末の利用者が、サービスの提供を受ける際に、当該サービスの提供を受けるべき者であるかどうかを認証するシステムであって、
暗号化ＩＤを復号する復号キー、および注文ＩＤの配列規則を記憶した記憶手段と、
前記携帯端末に記録された暗号化ＩＤを読み取る読取手段と、
前記携帯端末から読み取った暗号化ＩＤを前記復号キーにより復号する復号手段と、
前記復号手段による復号により得られる注文ＩＤが、前記配列規則に従っているかどうかを判断する判定手段と、
前記判定手段により配列規則に従っていると判断された注文ＩＤを前記携帯端末に送信する送信手段と、
を有することを特徴とする携帯端末による認証システム。
【発明の詳細な説明】
【０００１】
【産業上の利用分野】
本発明は、サービスの提供を受ける際に、携帯端末を利用して利用者の認証を行うための技術に関する。
【０００２】
【従来の技術】
近年、インターネットを利用して、自宅のパソコンから商品の注文を行い、コンビニエンスストア等の店頭で商品を受け取るサービスが行われている。この場合には、注文者は、注文内容をプリントアウトしたものを店頭に持ち込むことにより本人確認を行っている。
【０００３】
【発明が解決しようとする課題】
しかしながら、上記従来の手法では、注文内容をプリントアウトしたものが必要となる。ところが、最近では、携帯電話の普及がパソコン以上に急激に進み、インターネット接続を携帯電話で行う消費者が多い。商品をインターネットで注文する場合、利用者にとっては普段持ち歩いている携帯電話機によりインターネットに接続し、注文を行う方が好ましいが、パソコンで行った場合と異なり、注文内容のプリントアウトを行うことができないため、店頭での本人確認の手続が面倒であるという問題がある。一方、コンビニエンスストア等の店頭では、近年、ＡＴＭ、画像出力、サービス提供等のさまざまな処理が可能な端末が設置されており、来店者に利用されている。
【０００４】
上記のような点に鑑み、本発明は、店舗に設置された端末で、サービスを提供すべき者であるかどうかの確認を行うことが可能な携帯端末による認証方法およびシステムを提供することを課題とする。
【０００５】
【課題を解決するための手段】
上記課題を解決するため、本発明では、携帯端末の利用者が、サービスの提供を受ける際に、店舗もしくは街頭等に設置された設置端末により、前記サービスの提供を受ける者であるかどうかを認証するにあたり、コンピュータネットワークを利用して所定のサイトから得られる暗号化ＩＤを記録した前記携帯端末から、前記設置端末が前記暗号化ＩＤを読み取る段階、前記設置端末にあらかじめ記憶された復号キーで前記暗号化ＩＤを復号して注文ＩＤを得る段階、前記注文ＩＤが所定の規則に従っているかどうかを照合する段階、前記注文ＩＤが所定の規則に従っていると判断された場合に、前記注文ＩＤを前記携帯端末に送信する段階、前記携帯端末が受信した注文ＩＤを画面上に表示する段階を実行するようにしたことを特徴とする。
【０００６】
本発明によれば、携帯端末からインターネット等を介して注文用のサイトから暗号化ＩＤを取得しておき、店頭に設置された端末で、携帯端末に記録された暗号化ＩＤを復号し、復号された注文ＩＤが正当なものである場合に、注文ＩＤを携帯端末に送信するようにしたので、店舗に設置された端末で、サービスを提供すべき者であるかどうかの確認を行うことが可能となる。
【０００７】
【発明の実施の形態】
以下、本発明の好適な実施形態について、図面を参照して詳細に説明する。
（システム構成）
図１は、本発明に係る認証システムとて機能する設置端末の外観図である。図１に示すように設置端末１０は、いわゆる店舗内に設置されたキオスク端末のような外観となっている。図１において、１１はタッチパネルディスプレイ、１２は携帯端末接続端子である。タッチパネルディスプレイ１１は、設置端末１０の利用者に対して必要な情報を提示する表示手段としての機能、および利用者からの指示を受ける指示入力手段としての機能を有しており、従来周知のタッチパネルディスプレイを用いることができる。携帯端末接続端子１２は、携帯端末とデータの送受信を行うための接続端子である。また、本発明の認証システムとしては利用しないが、設置端末で処理したものをプリントして出力する印刷物出力口１３、必要な料金を徴収するための料金投入口１４等も、設置端末１０には設けられている。
【０００８】
図２は、本発明に係る認証システムの一実施形態を示す機能ブロック図である。図２において、１は演算制御部、２は表示部、３は指示入力部、４は携帯端末インターフェイス、５は記憶部、６は携帯端末である。図２において、演算制御部１は、本システムの中心的な役割を果たすものであり、携帯端末６から暗号化ＩＤを読み取って、記憶部５に記憶された復号キーにより復号する機能、復号により得られた注文ＩＤを所定の配列規則と照合して認証を行う機能、正当に認証が行われた旨の情報を出力する機能、その他各機器の制御を行う機能を有している。表示部２は、利用者に対して案内情報等、各種情報を表示出力する機能を有している。指示入力部３は、利用者から本システムに対する指示入力を行う機能を有している。上述のように、本実施形態では、表示部２および指示入力部３はタッチパネルディスプレイ１１として実現されている。
【０００９】
携帯端末インターフェイス４は、携帯端末６とのデータの送受信を行うためのインターフェイスであり、主に携帯端末６内の暗号化ＩＤを取り込む機能および復号された注文ＩＤを送信する機能を有している。本実施形態では、携帯端末接続端子１２を介して機能することになる。記憶部５は、携帯端末６から受信した暗号化ＩＤを復号するための復号キー、注文ＩＤの配列規則、演算制御部１における処理を実行するためのプログラム等、本システムで利用する各種データを記憶するためのものである。この他、昇華転写プリンタ（図示省略）等が接続されており、必要な情報を印刷することも可能となっている。また、携帯端末６としては、データの表示を行うためのディスプレイ６ａを有したものが利用可能である。ディスプレイ６ａを有した携帯端末６としては、最も普及している携帯電話機の他、ＰＤＡ（携帯情報端末）等、携帯可能で情報処理の可能な小型の端末であれば、種々のものを利用することができる。図２に示した構成は、携帯端末６を除いて、図１に示した外観を有する設置端末１０の中に納められている。
【００１０】
（注文ＩＤの取得）
以下、携帯端末による認証を行うための処理について説明する。利用者は、まず、携帯端末６に、暗号化ＩＤの記録および注文ＩＤの受信、表示等を行うための専用のソフトウェアを記録させる。これは、認証システムからダウンロードして記録するようにしても良いし、インターネット上の専用サイトからダウンロードして記録するようにしても良い。
【００１１】
上記のような認証用ソフトウェアをダウンロードして、携帯端末６に必要な機能が付加されたら、携帯端末６から、インターネット上で商品の注文を受け付ける注文サイトにアクセスし、商品注文を行う。商品注文の手続が正しく行われると、注文サイトからは、商品注文の受付が行われた旨の情報として、各注文ごとにユニークな注文ＩＤを発行する。この注文ＩＤは、発行順に通し番号で発行される。また、注文ＩＤは「ＡＢ００００１」のように、アルファベット２文字＋数字５桁のように所定の配列規則に従って発行される。発行された注文ＩＤは、暗号化キーにより暗号化した暗号化ＩＤとして携帯端末６に送信される。携帯端末６では、認証用ソフトウェアの機能により、受信した暗号化ＩＤを記録する。暗号化ＩＤが記録されると、携帯端末６のディスプレイ６ａには、「注文を承りました」等のメッセージが表示され、利用者は注文が完了したことを知ることができる。
【００１２】
（認証）
上記のようにして暗号化ＩＤを取得した後、利用者は、携帯端末６を用いて認証を行う。携帯端末６を用いた認証システム１０での認証の処理概要を図３のフローチャートに示す。まず、利用者は、コンビニエンスストア等の店舗に設置された認証システム１０の携帯端末接続端子１２に携帯端末６を接続する。すると、携帯端末６は、携帯端末インターフェイスを介して、認証システムと繋がることになる。携帯端末６と認証システムが接続されると、演算制御部１は、携帯端末６が、携帯端末インターフェイスに接続されたことを認識し、携帯端末６に記録された暗号化ＩＤを読み取る（ステップＳ１）。演算制御部１は、携帯端末６から暗号化ＩＤを読み取ることができたら、記憶部５から復号キーを抽出し、抽出した復号キーで暗号化ＩＤを復号する（ステップＳ２）。復号することにより、注文ＩＤが得られることになる。なお、この復号キーは、上記注文サイトで注文ＩＤの暗号化に用いた暗号化キーに対応しており、上記暗号化キーで暗号化したものを復号できるものである。暗号化および復号の手法は、共通鍵方式、公開鍵方式等の従来周知のものを利用することができる。復号された注文ＩＤは、記憶部５に記憶される。
【００１３】
続いて、演算制御部１は、復号した注文ＩＤが所定の規則に従っているかどうかを照合することにより、注文ＩＤの認証を行う（ステップＳ３）。具体的には、アルファベット２文字＋数字５桁の組み合わせになっているかどうかを調べることになる。この組み合わせになっている場合、正しい注文ＩＤであると判定されることになる。なお、認証システムでは、配列規則に従った正しい注文ＩＤであるかどうかを判定するだけであり、個別の番号についてはチェックしない。正しい注文ＩＤであると判定されたら、演算制御部は、その注文ＩＤを携帯端末インターフェイスを介して携帯端末６に送信する（ステップＳ４）。携帯端末６では、注文ＩＤを受け取ると、その注文ＩＤを携帯端末６のディスプレイ６ａに表示する（ステップＳ５）。
【００１４】
注文ＩＤを受け取ったら、利用者は、携帯端末６を携帯端末接続端子１２から外し、携帯端末６インターフェイス４との接続を断つ。そして、携帯端末６の画面を店員に見せる。店員は、携帯端末６のディスプレイ６ａに表示された注文ＩＤと、別途店頭で用意している注文一覧表に記載されている注文ＩＤとを比較して確認する。ディスプレイ６ａに表示された注文ＩＤと同一の注文ＩＤが注文一覧表にあれば、その注文ＩＤで特定される商品を、代金と引き換えに利用者に渡す。
【００１５】
認証システムは、本部と１日１回程度通信を行う。具体的には、記憶部５に記憶された全ての注文ＩＤを本部のコンピュータ（本部コンピュータ）に送信する。本部コンピュータでは、受信した注文ＩＤを記録し、実際に店頭で受け取られた商品との照合に用いる。
【００１６】
以上、本発明の好適な実施形態について説明したが、本発明は上記実施形態に限定されず、種々の変形が可能である。例えば、上記実施形態では、携帯端末として携帯電話機を利用した場合について説明したが、ＰＤＡ（携帯情報端末）等、携帯可能な小型の端末であり、表示手段を有するものであれば、種々のものを利用することができる。
【００１７】
【発明の効果】
以上、説明したように本発明によれば、コンピュータネットワークを利用して所定のサイトから得られる暗号化ＩＤを記録した携帯端末から、設置端末が暗号化ＩＤを読み取り、設置端末にあらかじめ記憶された復号キーで暗号化ＩＤを復号して注文ＩＤを得て、注文ＩＤが所定の規則に従っているかどうかを照合し、注文ＩＤが所定の規則に従っていると判断された場合に、注文ＩＤを携帯端末に送信し、携帯端末が受信した注文ＩＤを画面上に表示するようにしたので、店舗に設置された端末で、サービスを提供すべき者であるかどうかの確認を行うことが可能となるという効果を奏する。
【図面の簡単な説明】
【図１】本発明に係る認証システムを内蔵した設置端末の外観図である。
【図２】本発明に係る認証システムの一実施形態を示す機能ブロック図である。
【図３】本発明に係る認証方法の概要を示すフローチャートである。
【符号の説明】
１・・・演算制御部
２・・・表示部
３・・・指示入力部
４・・・携帯端末インターフェイス
５・・・記憶部
６・・・携帯端末
６ａ・・・ディスプレイ
１０・・・設置端末
１１・・・タッチパネルディスプレイ
１２・・・携帯端末接続端子
１３・・・印刷物出力口
１４・・・料金投入口
【図１】
2005004376.tif 000003
【図２】
2005004376.tif 000004
【図３】
2005004376.tif 000005